【手続補正書】
【提出日】平成30年8月1日(2018.8.1)
【手続補正１】
【補正対象書類名】特許請求の範囲
【補正対象項目名】全文
【補正方法】変更
【補正の内容】
【特許請求の範囲】
【請求項１】
一様なビン方式を用いてヒストグラムを構築する方法であって、前記方法は、
１つ以上のプロセッサが、第１の組のデータ値を受信することであって、前記第１の組のデータ値は、第１の時間間隔中の第１のタイプの測定を含む、ことと、
前記１つ以上のプロセッサが、前記第１の組のデータ値を表すために、メモリの中に第１の組のビンを作成することであって、前記第１の組のビンを作成することは、前記第１の組のデータ値におけるゼロの任意のデータ値を表すように第１のビンを割り当てることと、前記第１の組のビンの中の残りのビンの各々に、２つの異なる数に及ぶそれぞれの範囲を割り当てることとを含み、その結果、前記第１のビンは数０を表し、残りのビンはゼロではない数を表す、ことと、
前記１つ以上のプロセッサが、前記第１の組のビンと前記第１の組のデータ値とを使用して、第１のヒストグラムを生成することであって、前記第１のヒストグラムは、前記第１の組のビンのビン毎に、前記第１の組のデータ値のうちのいくつのデータ値が前記ビンによって表されるかというインジケーションを提供し、前記第１のヒストグラムは、前記第１の時間間隔に関するものである、ことと、
前記１つ以上のプロセッサが、第２の組のデータ値を受信することであって、前記第２の組のデータ値は、第２の時間間隔中の前記第１のタイプの測定を含む、ことと、
前記１つ以上のプロセッサが、前記第１の組のビンと前記第２の組のデータ値とを使用して、同一の組のビンを使用することによって前記第１のヒストグラムと第２のヒストグラムとが一様なビン方式を有するように、前記第２のヒストグラムを生成することであって、前記第２のヒストグラムは、前記第１の組のビンのビン毎に、前記第２の組のデータ値のうちのいくつのデータ値が前記ビンによって表されるかというインジケーションを提供し、前記第２のヒストグラムは、前記第２の時間間隔に関するものである、ことと、
前記第１の時間間隔と前記第２の時間間隔とを被覆する第３の時間間隔に関する第３のヒストグラムを生成することであって、前記第３のヒストグラムは、前記第１の組のビンをさらに使用することによって、かつ、ビン毎ベースで前記第１のヒストグラムと前記第２のヒストグラムとを追加することによって、生成され、前記第３のヒストグラムは、前記第１の組のビンのビン毎に、前記第１の組のデータ値および前記第２の組のデータ値のうちのいくつのデータ値が前記ビンによって表されるかを示す、ことと
を含む、方法。
【請求項２】
前記第１の時間間隔または前記第２の時間間隔は、１分、５分、１時間、および１２時間の時間増分である、請求項１に記載の方法。
【請求項３】
データ値が、毎分受信され、
毎分、１分ヒストグラムが作成され、５分ヒストグラムが再計算され、１時間ヒストグラムが再計算され、１２時間ヒストグラムが再計算される、請求項２に記載の方法。
【請求項４】
命令を備えている非一過性のコンピュータ読み取り可能な媒体であって、前記命令は、１つ以上のプロセッサによって実行されると、前記１つ以上のプロセッサに一様なビン方式を用いてヒストグラムを構築するための動作を行わせ、前記コンピュータ読み取り可能な媒体は、
第１の組のデータ値を受信する命令であって、前記第１の組のデータ値は、第１の時間間隔中の第１のタイプの測定を含む、命令と、
前記第１の組のデータ値を表すために、メモリの中に第１の組のビンを作成する命令であって、前記命令は、前記第１の組のデータ値におけるゼロの任意のデータ値を表すように第１のビンを割り当て、前記第１の組のビンの中の残りのビンの各々に、２つの異なる数に及ぶそれぞれの範囲を割り当てることによって、前記第１の組のビンを作成させ、その結果、前記第１のビンは数０を表し、残りのビンはゼロではない数を表す、命令と、
前記第１の組のビンと前記第１の組のデータ値とを使用して、第１のヒストグラムを生成する命令であって、前記第１のヒストグラムは、前記第１の組のビンのビン毎に、前記第１の組のデータ値のうちのいくつのデータ値が前記ビンによって表されるかというインジケーションを提供し、前記第１のヒストグラムは、前記第１の時間間隔に関するものである、命令と、
第２の組のデータ値を受信する命令であって、前記第２の組のデータ値は、第２の時間間隔中の前記第１のタイプの測定を含む、命令と、
前記１つ以上のプロセッサが、前記第１の組のビンと前記第２の組のデータ値とを使用して、同一の組のビンを使用することによって前記第１のヒストグラムと第２のヒストグラムとが一様なビン方式を有するように、前記第２のヒストグラムを生成する命令であって、前記第２のヒストグラムは、前記第１の組のビンのビン毎に、前記第２の組のデータ値のうちのいくつのデータ値が前記ビンによって表されるかというインジケーションを提供し、前記第２のヒストグラムは、前記第２の時間間隔に関するものである、命令と、
前記第１の時間間隔と前記第２の時間間隔とを被覆する第３の時間間隔に関する第３のヒストグラムを生成する命令であって、前記第３のヒストグラムは、前記第１の組のビンをさらに使用することによって、かつ、ビン毎ベースで前記第１のヒストグラムと前記第２のヒストグラムとを追加することによって、生成され、前記第３のヒストグラムは、前記第１の組のビンのビン毎に、前記第１の組のデータ値および前記第２の組のデータ値のうちのいくつのデータ値が前記ビンによって表されるかを示す、命令と
を備えている、非一過性のコンピュータ読み取り可能な媒体。
【請求項５】
一様なビン方式を用いてヒストグラムを構築するためのシステムであって、前記システムは、
複数の命令を実行するための１つ以上のプロセッサと、
前記１つ以上のプロセッサと通信している表示デバイスと、
前記１つ以上のプロセッサと通信している記憶デバイスであって、前記記憶デバイスは、前記複数の命令を保持している、記憶デバイスと
を備え、
前記複数の命令は、
第１の組のデータ値を受信する命令であって、前記第１の組のデータ値は、第１の時間間隔中の第１のタイプの測定を含む、命令と、
前記第１の組のデータ値におけるゼロの任意のデータ値を表すように第１のビンを割り当て、前記第１の組のビンの中の残りのビンの各々に、２つの異なる数に及ぶそれぞれの範囲を割り当てることによって、前記第１の組のデータ値を表すためにメモリの中に第１の組のビンを作成する命令であって、その結果、前記第１のビンは数０を表し、残りのビンはゼロではない数を表す、命令と、
前記第１の組のビンと前記第１の組のデータ値とを使用して、第１のヒストグラムを生成する命令であって、前記第１のヒストグラムは、前記第１の組のビンのビン毎に、前記第１の組のデータ値のうちのいくつのデータ値が前記ビンによって表されるかというインジケーションを提供し、前記第１のヒストグラムは、前記第１の時間間隔に関するものである、命令と、
第２の組のデータ値を受信する命令であって、前記第２の組のデータ値は、第２の時間間隔中の前記第１のタイプの測定を含む、命令と、
前記第１の組のビンと前記第２の組のデータ値とを使用して、同一の組のビンを使用することによって前記第１のヒストグラムと第２のヒストグラムとが一様なビン方式を有するように、前記第２のヒストグラムを生成する命令であって、前記第２のヒストグラムは、前記第１の組のビンのビン毎に、前記第２の組のデータ値のうちのいくつのデータ値が前記ビンによって表されるかというインジケーションを提供し、前記第２のヒストグラムは、前記第２の時間間隔に関するものである、命令と、
前記第１の時間間隔と前記第２の時間間隔とを被覆する第３の時間間隔に関する第３のヒストグラムを生成する命令であって、前記第３のヒストグラムは、前記第１の組のビンをさらに使用することによって、かつ、ビン毎ベースで前記第１のヒストグラムと前記第２のヒストグラムとを追加することによって、生成され、前記第３のヒストグラムは、前記第１の組のビンのビン毎に、前記第１の組のデータ値および前記第２の組のデータ値のうちのいくつのデータ値が前記ビンによって表されるかを示す、命令と、
前記表示デバイスを介して、前記第３のヒストグラムを表示する命令と
を含む、システム。
【請求項６】
前記第１の時間間隔または前記第２の時間間隔は、１分、５分、１時間、および１２時間の時間増分である、請求項５に記載のシステム。
【請求項７】
データ値が、毎分受信され、
毎分、１分ヒストグラムが作成され、５分ヒストグラムが再計算され、１時間ヒストグラムが再計算され、１２時間ヒストグラムが再計算される、請求項６に記載のシステム。
【請求項８】
前記第１の組のビンの中の各ビンは、前記ビンに割り当てられた前記それぞれの範囲に基づくビンサイズを有する、請求項１に記載の方法。
【請求項９】
前記第１のビンは、前記数０に加えて、計上されるには小さすぎるゼロではない数を含む、請求項１に記載の方法。
【請求項１０】
前記第１の組のビンの前記残りのビンの前記それぞれの範囲は、同一のビット数によって表される、請求項１に記載の方法。
【請求項１１】
その前記第１のビン以外の前記第１の組のビンは、１．０×１０−１２７〜９．９×１０１２８の範囲を集合的に表す、請求項１に記載の方法。
【請求項１２】
その前記第１のビン以外の前記第１の組のビンは、対数線形ビンの組であり、前記対数線形ビンの組は、少なくとも第１のサブセットのビンと第２のサブセットのビンを含み、
前記第１のサブセットのビンの全てのビンは、第１の範囲の数のそれぞれの部分を表し、全てが第１のサイズを有し、
前記第２のサブセットのビンの全てのビンは、前記第１の範囲に隣接する第２の範囲の数のそれぞれの部分を表し、全てが第１のサイズより１０倍大きい第２のサイズを有し、
前記第２の範囲は、前記第１の範囲と前記第２の範囲とが同一の数のビンによって表されるように、前記第１の範囲のサイズより１０倍大きいサイズを有する、請求項１に記載の方法。
【請求項１３】
前記第３のヒストグラムの前記データ値の最小値は、ゼロより大きく、
前記方法は、
前記第３のヒストグラムを表示するための最小視覚限界を受信することであって、前記最小視覚限界は、前記第３のヒストグラムの前記データ値の前記最小値より大きい、ことと、
前記最小値と前記最小視覚限界との間の範囲によって被覆される前記第１の組のビンの全てのビンを組み合わせて単一のビンにすることによって、さらに、前記範囲によって被覆される前記ビンのうちの全てを破棄することによって、前記第３のヒストグラムを修正することであって、前記単一のビンは、前記組み合わせられたビンのそれぞれのデータ値の合計であるデータ値を有する、ことと、
表示デバイス上に前記修正された第３のヒストグラムを表示することと
をさらに含む、請求項１２に記載の方法。
【請求項１４】
前記第２のサブセットのビンの各々を表示するために割り当てられる前記表示デバイスのピクセル数は、前記第１のサブセットのビンの各々を表示するために割り当てられる前記表示デバイスのピクセル数の１０倍である、請求項１３に記載の方法。
【請求項１５】
前記第１の組のデータ値および前記第２の組のデータ値は、２次元または３次元のデータ値であり、
前記方法は、
前記２次元または３次元のデータ値のうちの１次元を表示するための色を使用することによって、前記第１のヒストグラム、前記第２のヒストグラム、または、前記第３のヒストグラムを表示すること
をさらに含む、請求項１に記載の方法。
【手続補正２】
【補正対象書類名】明細書
【補正対象項目名】０００５
【補正方法】変更
【補正の内容】
【０００５】
さらに別の実施形態では、複数の命令を実行するための１つ以上のプロセッサと、１つ以上のプロセッサと通信している表示デバイスと、１つ以上のプロセッサと通信している記憶デバイスであって、記憶デバイスは、複数の命令を保持している、記憶デバイスとを備えている、ヒストグラムを構築するためのシステムが存在し得、複数の命令は、データ値の組を受信する命令であって、データ値は、２次元または３次元であり、データ値は、少なくとも１つの測定を経時的に含む、命令と、メモリの中に複数のビンを作成する命令であって、複数のビンは、２有効桁底１０を使用する対数線形ビンである、命令と、数０を表すゼロビンを作成する命令と、データ値の組のゼロではない数を複数のビンの中へ配置する命令と、ビンを使用して、１つ以上のヒストグラムを生成する命令と、表示デバイスを介して、１つ以上のヒストグラムを表示する命令とを含む。
本発明は、例えば、以下を提供する。
（項目１）
ヒストグラムを構築する方法であって、前記方法は、
１つ以上のプロセッサによって、データ値の組を受信することであって、前記データ値は、２次元または３次元であり、前記データ値は、少なくとも１つの測定を経時的に含む、ことと、
前記１つ以上のプロセッサによって、メモリの中に複数のビンを作成することであって、前記複数のビンは、２有効桁底１０を使用する対数線形ビンである、ことと、
前記１つ以上のプロセッサによって、数０を表すゼロビンを作成することと、
前記１つ以上のプロセッサによって、前記データ値の組のゼロではない数を前記複数のビンの中へ配置することと、
前記１つ以上のプロセッサによって、前記ビンを使用して、１つ以上のヒストグラムを生成することと
を含む、方法。
（項目２）
前記１つ以上のヒストグラムは、１分、５分、１時間、および１２時間の時間増分に基づいて生成される、項目１に記載の方法。
（項目３）
測定値が、毎分受信され、
毎分、１分ヒストグラムが作成され、５分ヒストグラムが再計算され、１時間ヒストグラムが再計算され、１２時間ヒストグラムが再計算される、
項目２に記載の方法。
（項目４）
最小視覚限界および最大視覚限界を受信することであって、
前記最小視覚限界の絶対値および前記最大視覚限界の絶対値から大きい方の数をとることによって、焦点最大値を計算することと、
前記最小視覚限界の絶対値および前記最大視覚限界の絶対値から最低の数をとることによって、焦点最小値を計算することと、
前記データ値の組からデータ最小値を計算することと、
前記データ値の組からデータ最大値を計算することと
をさらに含む、項目１に記載の方法。
（項目５）
１つ以上のヒストグラムを生成することは、
（ａ）前記データ最小値が０より大きい場合、
前記複数のビンのうちの第１のビンを作成し、対象となるビンを破棄することであって、前記第１のビンは、前記データ最小値から前記焦点最小値まで及ぶ、ことと、
前記複数のビンのうちの第２のビンを作成し、対象となるビンを破棄することであって、前記第２のビンは、１０＊焦点最大値から前記データ最大値まで及ぶ、ことと、
（ｂ）前記データ最大値が０より小さい場合、
−１＊前記焦点最小値から前記データ最大値まで及ぶ前記第１のビンを作成し、対象となるビンを破棄することと、
前記データ最小値から−１０＊前記焦点最大値まで及ぶ前記第２のビンを作成し、対象となるビンを破棄することと、
（ｃ）前記データ最小値が０以下であり、かつ前記データ最小値が−１＊前記焦点最小値以上である場合、
前記ゼロビンを保存することと、
前記データ最小値から０まで及ぶ前記第１のビンを作成し、対象となるビンを破棄することと、
０から前記焦点最小値まで及ぶ前記第２のビンを作成し、対象となるビンを破棄することと、
前記複数のビンのうちの第３のビンを作成し、対象となるビンを破棄することであって、前記第３のビンは、１０＊前記焦点最大値から前記データ最大値まで及ぶ、ことと、
（ｄ）前記データ最大値が０以上であり、かつ前記データ最大値が前記焦点最小値以下の場合、
前記ゼロビンを保存することと、
０から前記データ最大値まで及ぶ前記第１のビンを作成し、対象となるビンを破棄することと、
−１＊前記焦点最小値から０まで及ぶ前記第２のビンを作成し、対象となるビンを破棄することと、
前記データ最小値から−１０＊前記焦点最大値まで及ぶ前記第３のビンを作成し、対象となるビンを破棄することと、
（ａ）−（ｄ）が満たされない場合、
前記ゼロビンを保存することと、
−１＊前記焦点最小値から０まで及ぶ前記第１のビンを作成し、対象となるビンを破棄することと、
前記データ最小値から−１０＊焦点最大値まで及ぶ前記第２のビンを作成し、対象となるビンを破棄することと、
０から前記焦点最小値まで及ぶ前記第３のビンを作成し、対象となるビンを破棄することと、
前記複数のビンのうちの第４のビンを作成し、対象となるビンを破棄することであって、前記第４のビンは、１０＊前記焦点最大値から前記データ最大値まで及ぶ、ことと
を含む、項目４に記載の方法。
（項目６）
命令を備えている非一過性のコンピュータ読み取り可能な媒体であって、前記命令は、１つ以上のプロセッサによって実行されると、前記１つ以上のプロセッサにヒストグラムを構築するための動作を行わせ、前記コンピュータ読み取り可能な媒体は、
データ値の組を受信する命令であって、前記データ値は、２次元または３次元であり、前記データ値は、少なくとも１つの測定を経時的に含む、命令と、
メモリの中に複数のビンを作成する命令であって、前記複数のビンは、２有効桁底１０を使用する対数線形ビンである、命令と、
数０を表すゼロビンを作成する命令と、
前記データ値の組のゼロではない数を前記複数のビンの中へ配置する命令と、
前記ビンを使用して、１つ以上のヒストグラムを生成する命令と
を備えている、非一過性のコンピュータ読み取り可能な媒体。
（項目７）
前記１つ以上のヒストグラムは、１分、５分、１時間、および１２時間の時間増分に基づいて生成される、項目６に記載の非一過性のコンピュータ読み取り可能な媒体。
（項目８）
測定値が、毎分受信され、
毎分、１分ヒストグラムが作成され、５分ヒストグラムが再計算され、１時間ヒストグラムが再計算され、１２時間ヒストグラムが再計算される、
項目７に記載の非一過性のコンピュータ読み取り可能な媒体。
（項目９）
最小視覚限界および最大視覚限界を受信する命令と、
前記最小視覚限界の絶対値および前記最大視覚限界の絶対値から大きい方の数をとることによって、焦点最大値を計算する命令と、
前記最小視覚限界の絶対値および前記最大視覚限界の絶対値から最低の数をとることによって、焦点最小値を計算する命令と、
前記データ値の組からデータ最小値を計算する命令と、
前記データ値の組からデータ最大値を計算する命令と
をさらに備えている、項目６に記載の非一過性のコンピュータ読み取り可能な媒体。
（項目１０）
１つ以上のヒストグラムを生成することは、
（ａ）前記データ最小値が０より大きい場合、
前記複数のビンのうちの第１のビンを作成し、対象となるビンを破棄する命令であって、前記第１のビンは、前記データ最小値から前記焦点最小値まで及ぶ、命令と、
前記複数のビンのうちの第２のビンを作成し、対象となるビンを破棄する命令であって、前記第２のビンは、１０＊焦点最大値から前記データ最大値まで及ぶ、命令と、
（ｂ）前記データ最大値が０より小さい場合、
−１＊前記焦点最小値から前記データ最大値まで及ぶ前記第１のビンを作成し、対象となるビンを破棄する命令と、
前記データ最小値から−１０＊前記焦点最大値まで及ぶ前記第２のビンを作成し、対象となるビンを破棄する命令と、
（ｃ）前記データ最小値が０以下であり、かつ前記データ最小値が−１＊前記焦点最小値以上である場合、
前記ゼロビンを保存する命令と、
前記データ最小値から０まで及ぶ前記第１のビンを作成し、対象となるビンを破棄する命令と、
０から前記焦点最小値まで及ぶ前記第２のビンを作成し、対象となるビンを破棄する命令と、
前記複数のビンのうちの第３のビンを作成し、対象となるビンを破棄する命令であって、前記第３のビンは、１０＊前記焦点最大値から前記データ最大値まで及ぶ、命令と、
（ｄ）前記データ最大値が０以上であり、かつ前記データ最大値が前記焦点最小値以下の場合、
前記ゼロビンを保存する命令と、
０から前記データ最大値まで及ぶ前記第１のビンを作成し、対象となるビンを破棄する命令と、
−１＊前記焦点最小値から０まで及ぶ前記第２のビンを作成し、対象となるビンを破棄する命令と、
前記データ最小値から−１０＊前記焦点最大値まで及ぶ前記第３のビンを作成し、対象となるビンを破棄する命令と、
（ａ）−（ｄ）が満たされない場合、
前記ゼロビンを保存する命令と、
−１＊前記焦点最小値から０まで及ぶ前記第１のビンを作成し、対象となるビンを破棄する命令と、
前記データ最小値から−１０＊焦点最大値まで及ぶ前記第２のビンを作成し、対象となるビンを破棄する命令と、
０から前記焦点最小値まで及ぶ前記第３のビンを作成し、対象となるビンを破棄する命令と、
前記複数のビンのうちの第４のビンを作成し、対象となるビンを破棄する命令であって、前記第４のビンは、１０＊前記焦点最大値から前記データ最大値まで及ぶ、命令と
をさらに備えている、項目９に記載の非一過性のコンピュータ読み取り可能な媒体。
（項目１１）
ヒストグラムを構築するためのシステムであって、前記システムは、
複数の命令を実行するための１つ以上のプロセッサと、
前記１つ以上のプロセッサと通信している表示デバイスと、
前記１つ以上のプロセッサと通信している記憶デバイスであって、前記記憶デバイスは、前記複数の命令を保持している、記憶デバイスと
を備え、
前記複数の命令は、
データ値の組を受信する命令であって、前記データ値は、２次元または３次元であり、前記データ値は、少なくとも１つの測定を経時的に含む、命令と、
メモリの中に複数のビンを作成する命令であって、前記複数のビンは、２有効桁底１０を使用する対数線形ビンである、命令と、
数０を表すゼロビンを作成する命令と、
前記データ値の組のゼロではない数を前記複数のビンの中へ配置する命令と、
前記ビンを使用して、１つ以上のヒストグラムを生成する命令と、
前記表示デバイスを介して、前記１つ以上のヒストグラムを表示する命令と
を含む、システム。
（項目１２）
前記１つ以上のヒストグラムは、１分、５分、１時間、および１２時間の時間増分に基づいて生成される、項目１１に記載のシステム。
（項目１３）
測定値が、毎分受信され、
毎分、１分ヒストグラムが作成され、５分ヒストグラムが再計算され、１時間ヒストグラムが再計算され、１２時間ヒストグラムが再計算される、
項目１２に記載のシステム。
（項目１４）
前記複数の命令は、
最小視覚限界および最大視覚限界を受信する命令と、
前記最小視覚限界の絶対値および前記最大視覚限界の絶対値から大きい方の数をとることによって、焦点最大値を計算する命令と、
前記最小視覚限界の絶対値および前記最大視覚限界の絶対値から最低の数をとることによって、焦点最小値を計算する命令と、
前記データ値の組からデータ最小値を計算する命令と、
前記データ値の組からデータ最大値を計算する命令と
をさらに含む、項目１１に記載のシステム。
（項目１５）
１つ以上のヒストグラムを生成することは、
（ａ）前記データ最小値が０より大きい場合、
前記複数のビンのうちの第１のビンを作成し、対象となるビンを破棄する命令であって、前記第１のビンは、前記データ最小値から前記焦点最小値まで及ぶ、命令と、
前記複数のビンのうちの第２のビンを作成し、対象となるビンを破棄する命令であって、前記第２のビンは、１０＊焦点最大値から前記データ最大値まで及ぶ、命令と、
（ｂ）前記データ最大値が０より小さい場合、
−１＊前記焦点最小値から前記データ最大値まで及ぶ前記第１のビンを作成し、対象となるビンを破棄する命令と、
前記データ最小値から−１０＊前記焦点最大値まで及ぶ前記第２のビンを作成し、対象となるビンを破棄する命令と、
（ｃ）前記データ最小値が０以下であり、かつ前記データ最小値が−１＊前記焦点最小値以上である場合、
前記ゼロビンを保存する命令と、
前記データ最小値から０まで及ぶ前記第１のビンを作成し、対象となるビンを破棄する命令と、
０から前記焦点最小値まで及ぶ前記第２のビンを作成し、対象となるビンを破棄する命令と、
前記複数のビンのうちの第３のビンを作成し、対象となるビンを破棄する命令であって、前記第３のビンは、１０＊前記焦点最大値から前記データ最大値まで及ぶ、命令と、
（ｄ）前記データ最大値が０以上であり、かつ前記データ最大値が前記焦点最小値以下の場合、
前記ゼロビンを保存する命令と、
０から前記データ最大値まで及ぶ前記第１のビンを作成し、対象となるビンを破棄する命令と、
−１＊前記焦点最小値から０まで及ぶ前記第２のビンを作成し、対象となるビンを破棄する命令と、
前記データ最小値から−１０＊前記焦点最大値まで及ぶ前記第３のビンを作成し、対象となるビンを破棄する命令と、
（ａ）−（ｄ）が満たされない場合、
前記ゼロビンを保存する命令と、
−１＊前記焦点最小値から０まで及ぶ前記第１のビンを作成し、対象となるビンを破棄する命令と、
前記データ最小値から−１０＊焦点最大値まで及ぶ前記第２のビンを作成し、対象となるビンを破棄する命令と、
０から前記焦点最小値まで及ぶ前記第３のビンを作成し、対象となるビンを破棄する命令と、
前記複数のビンのうちの第４のビンを作成し、対象となるビンを破棄する命令であって、前記第４のビンは、１０＊前記焦点最大値から前記データ最大値まで及ぶ、命令と
をさらに備えている、項目１４に記載のシステム。